(57)【特許請求の範囲】
【請求項１】
電子機器の内部に通じる開口部あるいは当該電子機器に取り付けられる防水を要する部品を被覆および露出自在に当該電子機器に装着可能な防水性カバー部材であって、
上記電子機器の上記開口部あるいは上記部品を覆う被覆板と、
当該被覆板の内面からその開口側に向かって突出する閉ループ状の突出部と、
上記開口部あるいは上記部品の周囲に形成される閉ループ状の溝部に挿入可能であって上記突出部の先端から少なくとも外側の側面を覆う、上記突出部より軟質の弾性シール材と、
上記突出部の内側および外側の内の少なくとも上記外側に、上記突出部より低い閉ループ状のリブを備えることを特徴とする防水性カバー部材。
【請求項２】
前記被覆板の外側の面に、さらに加飾層を備えることを特徴とする請求項１に記載の防水性カバー部材。
【請求項３】
電子機器の内部に通じる開口部あるいは当該電子機器に取り付けられる防水を要する部品を被覆および露出自在に当該電子機器に装着可能な防水性カバー部材用のカバー本体であって、
上記電子機器の上記開口部あるいは上記部品を覆う被覆板と、
当該被覆板の内面からその開口側に向かって突出する閉ループ状の突出部と、
上記突出部の内側および外側の内の少なくとも上記外側に、上記突出部より低い閉ループ状のリブを備えることを特徴とするカバー本体。
【請求項４】
電子機器の内部に通じる開口部あるいは当該電子機器に取り付けられる防水を要する部品を被覆および露出自在に当該電子機器に装着可能な防水性カバー部材の製造方法であって、
上記電子機器の上記開口部あるいは上記部品を覆う被覆板と、当該被覆板の内面からその開口側に向かって突出する閉ループ状の突出部と、当該突出部の内側および外側の内の少なくとも上記外側に、上記突出部より低い閉ループ状のリブを備えるカバー本体を、成形用の複合金型内にインサートするインサート工程と、
上記複合金型を構成する下金型を上記被覆板の外面側に配置し、上記複合金型を構成する別の金型であって上記被覆板を挟んで上記下金型と対向する１または２以上の上金型の下方端面を上記リブの上に接する状態として、上記下金型と上記上金型との間を型締めする型締め工程と、
上記複合金型内を加圧すると共に加温して、上記上金型と上記突出部とから少なくとも形成される空間内に弾性シール材組成物を供給し、上記開口部あるいは上記部品の周囲に形成される閉ループ状の溝部に挿入可能であって上記突出部の先端から少なくとも外側の側面を覆う、上記突出部より軟質の弾性シール材を成形する成形工程と、
を含むことを特徴とする防水性カバー部材の製造方法。
【請求項５】
前記カバー本体に形成される前記リブは、鋭角の頂部を有していることを特徴とする請求項４に記載の防水性カバー部材の製造方法。
【請求項６】
前記下金型は、前記被覆板の外面と接する側の面に、コート層を備えることを特徴とする請求項４または請求項５に記載の防水性カバー部材の製造方法。
【発明の詳細な説明】
【技術分野】
【０００１】
本発明は、防水性カバー部材およびそれに用いるカバー本体、ならびに防水性カバー部材の製造方法に関する。
【背景技術】
【０００２】
最近では、防水性の高い電子機器（例えば、携帯電話）の需要が高くなってきている。電子機器の防水性を高めるには、電池、Ｓｉｍカードあるいはメモリーディスク等を出し入れする部分や、精密部品および光学部品の嵌め込み口周辺のシール性を高める必要がある。電池を収納する電池収納部の防水構造を例に挙げると、電池収納部の開口面を覆う電池蓋に防水部材を一体化させて、電池蓋と電子機器本体との間の防水性を高めると同時に、電池蓋の薄型化を図る構成が知られている（例えば、特許文献１を参照）。かかる構成によれば、電池蓋側に、取付補助部を一体化し、その取付補助部に、シリコーンラバー等から成る防水部材を取り付ける一方、電子機器の筺体側の電池収納部の開口周囲に溝状の嵌合部を形成し、電池蓋側の防水部材を嵌合部に圧入することによって、防水が実現されている。
【先行技術文献】
【特許文献】
【０００３】
【特許文献１】特許第４４２４４４５号公報
【発明の概要】
【発明が解決しようとする課題】
【０００４】
しかし、従来から公知の上記電池蓋には次のような問題がある。それは、電池蓋の外側の面に微小な凹凸若しくはゆがみが生じるという問題である。以下、図を参照しながら説明する。
【０００５】
図７は、従来から公知の電池蓋の内側および外側の両方から見た斜視図である。図８は、図７に示す内側から見た状態の電池蓋のＸ−Ｘ線断面図およびその一部（領域Ｙ）の拡大断面図である。図９は、図８に示す電池蓋の製造状況を示す図であって、弾性シール材の周辺部を拡大して示す拡大断面図である。
【０００６】
従来から公知の電池蓋１００は、その底板１０１の内面に、電池蓋１００の開口側に向かって突出する矩形の閉ループ状の突出部１０２と、当該突出部１０２の頂面から側面にかけて被覆する弾性シール材１０３とを備える。底板１０１の外側には、好適には塗装などにより美観を向上させる処理がなされている。図７に示すように、底板１０１の外側の面には、突出部１０２の裏側近傍に、微小な凹凸若しくは歪み等の変形領域１０４が生じる場合がある。本発明者らは、この原因を追及した結果、突出部１０２に弾性シール材１０３を一体化する製造工程に、当該原因が潜在していることを突き止めた。
【０００７】
図９に示すように、電池蓋１００の突出部１０２に弾性シール材１０３を一体化する場合、下金型１１１、第一上金型１１２、第二上金型１１３および第三上金型１１４から成る成形用複合金型内に、成形後の電池蓋１００をインサートし、第一上金型１１２、第二上金型１１３、第三上金型１１４および突出部１０２によって形成された空間内に、弾性シール材１０３を形成するための液状の弾性シール材組成物を充填し、これを硬化する。当該弾性シール材組成物は、ゲート１１５から上記空間内に供給される。第一上金型１１２は、底板１０１の内面における突出部１０２の外側近傍に、下方端面１２２を圧接した状態で型締めされる。同様に、第二上金型１１３は、突出部１０２の内側近傍に、下方端面１２３を圧接した状態で型締めされる。複合金型を型締めすると、下方端面１２２，１２３から底板１０１に対して矢印で示す方向に荷重がかかる。突出部１０２への弾性シール材１０３の一体化の工程では、底板１０１に対して上記の荷重のみならず熱も加えられるので、底板１０１における下方端面１２２，１２３の直下の箇所Ｚ，Ｚが変形しやすくなる。
【０００８】
底板１０１の箇所Ｚ，Ｚにおける変形を防止するため、金型の型締め時の荷重を低くして、第一上金型１１２の下方端面１２２および第二上金型１１３の下方端面１２３から底板１０１にかかる荷重を低くする方法も考えられる。しかし、荷重を低くすると、弾性シール材組成物が下方端面１２２，１２３と底板１０１の内面との隙間から流出し、弾性シール材１０３におけるバリの発生、弾性シール材１０３中での気泡の生成あるいは底板１０１におけるヒケの発生が起きやすくなる。
【０００９】
本発明は、かかる問題を解消すべくなされたものであって、良好な外観を有し、高精度に成形された弾性シール材を備える防水性カバー部材を提供することを目的とする。
【課題を解決するための手段】
【００１０】
上記目的を達成するため、本発明の一実施形態は、電子機器の内部に通じる開口部あるいは電子機器に取り付けられる防水を要する部品を被覆および露出自在に電子機器に装着可能な防水性カバー部材であって、電子機器の開口部あるいは部品を覆う被覆板と、被覆板の内面からその開口側に向かって突出する閉ループ状の突出部と、開口部あるいは部品の周囲に形成される閉ループ状の溝部に挿入可能であって突出部の先端から少なくとも外側の側面を覆う、突出部より軟質の弾性シール材と、突出部の内側および外側の内の少なくとも外側に、突出部より低い閉ループ状のリブを備える防水性カバー部材である。
【００１１】
本発明の別の一実施形態は、さらに、被覆板の外側の面に加飾層を備える防水性カバー部材である。
【００１２】
本発明の一実施形態は、電子機器の内部に通じる開口部あるいは電子機器に取り付けられる防水を要する部品を被覆および露出自在に電子機器に装着可能な防水性カバー部材用のカバー本体であって、電子機器の開口部あるいは部品を覆う被覆板と、被覆板の内面からその開口側に向かって突出する閉ループ状の突出部と、突出部の内側および外側の内の少なくとも外側に、突出部より低い閉ループ状のリブを備えるカバー本体である。
【００１３】
本発明の一実施形態は、電子機器の内部に通じる開口部あるいは電子機器に取り付けられる防水を要する部品を被覆および露出自在に電子機器に装着可能な防水性カバー部材の製造方法であって、電子機器の開口部あるいは部品を覆う被覆板と、被覆板の内面からその開口側に向かって突出する閉ループ状の突出部と、突出部の内側および外側の内の少なくとも外側に、突出部より低い閉ループ状のリブを備えるカバー本体を、成形用の複合金型内にインサートするインサート工程と、複合金型を構成する下金型を被覆板の外面側に配置し、複合金型を構成する別の金型であって被覆板を挟んで下金型と対向する１または２以上の上金型の下方端面をリブの上に接する状態として、下金型と上金型との間を型締めする型締め工程と、複合金型内を加圧すると共に加温して、上金型と突出部とから少なくとも形成される空間内に弾性シール材組成物を供給し、開口部あるいは部品の周囲に形成される閉ループ状の溝部に挿入可能であって突出部の先端から少なくとも外側の側面を覆う、突出部より軟質の弾性シール材を成形する成形工程と、を含む防水性カバー部材の製造方法である。
【００１４】
本発明の別の一実施形態は、さらに、カバー本体に形成されるリブが鋭角の頂部を備える防水性カバー部材の製造方法である。
【００１５】
本発明の別の一実施形態は、さらに、下金型において、被覆板の外面と接する側の面にコート層を備える防水性カバー部材の製造方法である。
【発明の効果】
【００１６】
本発明によれば、良好な外観を有し、高精度に成形された弾性シール材を備える防水性カバー部材を提供できる。
【図面の簡単な説明】
【００１７】
【図１】図１は、第一の実施の形態に係る防水性カバー部材の一例である電池蓋を、電子機器の筺体から取り外して、筺体の背面側および電池蓋の内側をそれぞれ正面に向けて示す図および電池蓋の内側の一部（領域Ｂ）の拡大図である。
【図２】図２は、図１に示す電池蓋の内側の斜視図である。
【図３】図３は、図１に示す電池蓋のＡ−Ａ線断面図およびその一部（領域Ｃ）の拡大断面図である。
【図４】図４は、電池蓋のカバー本体を金型内にインサートして弾性シール材を突出部に一体成形する状況を示す突出部近傍の断面図および成形後のリブ近傍Ｄの拡大断面図である。
【図５】図５は、電池蓋のカバー本体を金型内にインサートして弾性シール材を突出部に一体成形する状況を示す突出部近傍の断面図であって、図４に示す方法の変形例を説明するための断面図である。
【図６】図６は、第二の実施の形態に係る防水性カバー部材の一例である背面カバーを、電子機器の背面から外して、電子機器の背面側および背面カバーの内側をそれぞれ正面に向けて示す図である。
【図７】図７は、従来から公知の電池蓋の内側および外側の両方から見た斜視図である。
【図８】図８は、図７に示す内側から見た状態の電池蓋のＸ−Ｘ線断面図およびその一部（領域Ｙ）の拡大断面図である。
【図９】図９は、図８に示す電池蓋の製造状況を示す図であって、弾性シール材の周辺部を拡大して示す拡大断面図である。
【発明を実施するための形態】
【００１８】
次に、本発明の防水性カバー部材、それに用いるカバー本体および防水性カバー部材の製造方法について、図面を参照しながら説明する。以下の各実施の形態では、防水性カバー部材の一例として電池蓋および背面カバーを例に説明するが、防水性カバー部材は、それによって覆われた部分の防水を実現する限り、他の形態に応用可能である。
【００１９】
＜第一の実施形態＞
１．防水性カバー部材の構成
図１は、第一の実施の形態に係る防水性カバー部材の一例である電池蓋を、電子機器の筺体から取り外して、筺体の背面側および電池蓋の内側をそれぞれ正面に向けて示す図および電池蓋の内側の一部（領域Ｂ）の拡大図である。図２は、図１に示す電池蓋の内側の斜視図である。図３は、図１に示す電池蓋のＡ−Ａ線断面図およびその一部（領域Ｃ）の拡大断面図である。
【００２０】
電子機器１は、その本体を構成する筺体２と、筺体２の背面側に開口して電子機器１の内部に通じる開口部２１を覆う防水性カバー部材としての電池蓋３とを備える。筺体２の開口部２１は、電池２２を収納する電池収納部である。筺体２は、開口部２１の外周に、矩形の閉ループ状の溝部２３を備える。また、筺体２は、電池蓋３の下縁および側縁との対向部位に、略Ｕ字状の端面２４を備える。さらに、筺体２は、電池蓋３の上端との接合部位に２つの凹部２５，２５を備え、電池蓋３の下方部分との接合部位に１つの凹部２６を備える。
【００２１】
電池蓋３は、開口部２１を被覆および露出自在に電子機器１に装着可能な部材である。電池蓋３は、開口部２１を覆う被覆板３０と、被覆板３０の内面からその開口側に向かって突出する矩形の閉ループ状の突出部３２と、筺体２側の溝部２３に挿入可能であって突出部３２の先端から側面を覆うと共に突出部３２より軟質の弾性シール材３３と、突出部３２の外側および内側にそれぞれ形成され、突出部３２より低い矩形の閉ループ状のリブ３７，３８とを備える。
【００２２】
弾性シール材３３を除き、電池蓋３は、好適には樹脂から成り、より好適には、熱可塑性樹脂、熱硬化性樹脂、紫外線硬化性樹脂、電子線硬化性樹脂から成り、その中でも好適には、ポリカーボネート系樹脂、ポリエステル系樹脂、アクリル系樹脂、ＡＢＳ系樹脂あるいはポリアミド系樹脂から成り、その中でも特に耐熱性に優れるポリカーボネート系樹脂を好適に用いることができる。被覆板３０は、その上方のみを開口してその他の方向に連接形状の側壁を有する。当該側壁の端面である開口端面３４は、略Ｕ字形状であって、電池蓋３を筺体２に取り付けた際に筺体２側の端面２４と接する。突出部３２は、溝部２３の深さよりも低く形成される矩形の閉ループ状の凸部である。
【００２３】
突出部３２は、その先端に、好適にはエラストマー製から成る矩形の閉ループ状の弾性シール材３３を備える。弾性シール材３３の好適な材料としては、例えば、シリコーンゴム、ウレタンゴム、エチレンプロピレンジエンゴム（ＥＰＤＭ）、フッ素ゴム、ニトリルゴム（ＮＢＲ）、天然ゴム等を例示でき、その中でも特に耐熱性、耐寒性に優れ、圧縮永久歪が小さいシリコーンゴムを好適に用いることができる。
【００２４】
電池蓋３は、その上端に２つの逆Ｌ字状の凸部３５，３５を所定間隔で離間して備え、電池蓋３の下方部分に１つの逆Ｌ字状の凸部３６を備える。電池蓋３を筺体２の背面に取り付ける際には、凸部３６を凹部２６の開口部分から挿入し、凸部３５，３５を凹部２５，２５に向けて挿入する。凸部３５，３５，３６および凹部２５，２５，２６は、かかる取り付けができるような形状と位置に形成されている。ただし、電池蓋３と筺体２との取り付け方法は、上記方法に限定されるものではない。
【００２５】
リブ３７，３８は、突出部３２のそれぞれ外周囲および内周囲に形成される矩形の閉ループ状の凸部である。後述するように、リブ３７，３８は、弾性シール材３３を突出部３２に一体成形する前に、一体成形後よりも高い凸部であったが、一体成形時の加圧および加温によって低くなった残部である。リブ３７，３８の好適な幅（底部の最も広い幅）は、０．０１〜０．２ｍｍ（１０〜２００μｍ）の範囲、さらに好ましくは、０．０２〜０．１５ｍｍ（２０〜１５０μｍ）の範囲である。また、リブ３７，３８の好適な高さは、０．０１〜０．１８ｍｍ（１０〜１８０μｍ）の範囲、さらに好ましくは、０．０２〜０．１３ｍｍ（２０〜１３０μｍ）の範囲である。また、リブ３７，３８の突出部３２と弾性シール材３３との一体化前の高さは、０．０２〜０．２０ｍｍ（２０〜２００μｍ）の範囲、より好ましくは０．０３〜０．１５ｍｍ（３０〜１５０μｍ）の範囲であり、上記一体化前のリブ３７，３８の底面と頂点（頂点がない場合には、リブ３７，３８の側面が合わさる仮想の頂点）との間の角度、すなわち頂角は、好ましくは３０〜７０度の範囲であり、さらに好ましくは３０〜６０度の範囲である。
【００２６】
リブ３７，３８は、一体成形時に、弾性シール材３３を構成するための液状の弾性シール材組成物（好適には、エラストマー組成物）が突出部３２の周囲に流出するのを防止する機能を持つ。加えて、リブ３７，３８は、弾性シール材３３と被覆板３０との隙間の露出を防ぎ、リブ３７，３８の各内側に係止する役割を持つ。このため、電池蓋３を筺体２からの着脱を繰り返しても、ユーザの爪等が弾性シール材３３と被覆板３０との隙間に入り込む危険性はほとんど無く、弾性シール材３３が突出部３２から剥がれるのを有効に防止することができる。リブ３７，３８は、突出部３２の外側および内側にそれぞれ形成される方が好ましいが、リブ３７，３８のいずれか一方のみを形成することもできる。リブ３７，３８のいずれか一方のみを形成する場合には、特に、突出部３２の外周囲に形成されるリブ３７のみを形成する方が好ましい。これは、以下の理由による。突出部３２の先端部分を被覆する弾性シール材３３と溝部２３との間を密閉して防水性を確保する必要から、水が浸入してくる突出部３２の少なくとも外側に、弾性シール材３３を形成する。したがって、突出部３２の外側に弾性シール材３３を形成した場合、同じ外側にリブ３７を形成する必要がある。
【００２７】
被覆板３０は、好適に、その外側の面に加飾層３９を備える。加飾層３９は、顔料系あるいは染料系のいずれの塗料を用いて形成しても良く、より好ましくは、耐候性の高い顔料系の塗料から塗装または印刷により形成される。
【００２８】
２．防水性カバー部材の製造方法
図４は、電池蓋のカバー本体を金型内にインサートして弾性シール材を突出部に一体成形する状況を示す突出部近傍の断面図および成形後のリブ近傍Ｄの拡大断面図である。
【００２９】
電池蓋３は、弾性シール材３３と、それを除くカバー本体４０とから成る。カバー本体４０は、少なくとも、被覆板３０と、突出部３２と、リブ３７，３８とを含み、この実施の形態では、凸部３５，３６も含む。カバー本体４０の突出部３２に弾性シール材３３を成形する際、まず、下金型４１と、上金型を構成する第一上金型４２，同じく上金型を構成する第二上金型４３と、同じく上金型を構成する第三上金型４４とから構成される成形用の複合金型内にカバー本体４０をインサートする（インサート工程）。下金型４１は、カバー本体４０の被覆板３０と接するように配置される。上金型は、被覆板３０を挟んで下金型４１と対向する金型である。第一上金型４２は、突出部３２の頂部を下方に向かって貫く中心軸から突出部３２の外側の領域に配置される。第二上金型４３は、突出部３２の上記中心軸から突出部３２の内側の領域であって、かつ弾性シール材３３の下方域までの高さに配置される。第三上金型４４は、第一上金型４２上に配置され、弾性シール材３３の上方域に配置される。
【００３０】
第一上金型４２および第二上金型４３は、それぞれの下端に、リブ３７，３８の頂部に接する下方端面５２および下方端面５３を備える。下金型４１をカバー本体４０の外面側に配置し、第一上金型４２および第二上金型４３の各下方端面５２，５３をリブ３７，３８の上に接する状態として、下金型４１と、第一上金型４２と、第二上金型４３と、第三上金型４４とを型締めする（型締め工程）。次に、リブ３７，３８を残すことができる荷重にて複合金型内を加圧すると共に加温して、主に第一上金型４２、第二上金型４３、第三上金型４４および突出部３２から形成される空間Ｖ内に弾性シール材組成物を供給して、弾性シール材３３を成形する（成形工程）。当該組成物の供給口は、空間Ｖに通じるように第二上金型４３と第三上金型４４との間に形成されたゲート４５である。
【００３１】
ここで、第一上金型４２および第二上金型４３から下金型４１に加わる荷重は、被覆板３０の外側の面に凹凸等の変形が生じないように、従来よりも低く設定されている。具体的に例示すれば、好適な成形荷重は、従来の３３５〜７３５ｋＮに対して約１０％低減した３０１〜６６１ｋＮである。成形荷重を低くすると、弾性シール材組成物は、突出部３２の周囲に拡がりやすくなるが、リブ３７，３８によってせき止められる。成形工程中において、第一上金型４２および第二上金型４３の各下方端面５２，５３は、それぞれリブ３７，３８をその頂部から押しつぶしながら、下金型４１の方向に微動する。この結果、リブ３８近傍Ｄの拡大断面図に示すように、リブ３８（およびリブ３７）は、一点鎖線の位置から実線の位置まで低くなる。最終的に、リブ３７，３８は、完全に消失せずに被覆板３０の内面より少し高い位置になる。このように、成形工程中、リブ３７，３８は低くなっても完全には消失しないので、弾性シール材組成物のせき止めの効果は、成形工程中において維持される。
【００３２】
リブ３７，３８の頂部は鋭角で細くなっているため、第一上金型４２および第二上金型４３から下金型４１に対して荷重が加わると、各下方端面５２，５３はリブ３７，３８の各頂部を容易に押しつぶすことができる。この結果、リブ３７，３８の頂面と、第一上金型４２および第二上金型４３の各下方端面５２，５３との隙間をゼロにあるいは極めて薄くすることができる。したがって、弾性シール材組成物が各下方端面５２，５３を超えて、リブ３７，３８の外に流出する危険性は極めて低くなる。リブ３７，３８の各頂部を水平面として、第一上金型４２および第二上金型４３の各下方端面５２，５３と隙間なく接するようにして、弾性シール材組成物の流出を防止することも理論的には可能である。しかし、リブ３７，３８の各頂面を、各下方端面５２，５３と正確に接するように水平かつ平滑にすることは極めて難しい。このため、この実施の形態では、リブ３７，３８の各頂部をつぶれやすい形状にして、弾性シール材組成物が各下方端面５２，５３を超えて、リブ３７，３８の外に流出しないようにしている。
【００３３】
図３に示す加飾層３９を被覆板３０の外側の面に形成する加飾工程は、上記のインサート工程の前、あるいは成形工程の後に行うことができる。成形工程によって加飾層３９に傷が付いたり、歪んだりするのを確実に防止するには、加飾工程を、成形工程後に行うのが好ましい。
【００３４】
第一上金型４２および第三上金型４４は、弾性シール材３３の成形後に成形体から容易に分離しやすいように分割されているが、これらを一体化しても良い。また、弾性シール材３３の頂部近傍が突出部３２の内側にも膨らんだ形状の場合には、第二上金型４３を、第一上金型４２および第三上金型４４と同様に分割しても良い。
【００３５】
図５は、電池蓋のカバー本体を金型内にインサートして弾性シール材を突出部に一体成形する状況を示す突出部近傍の断面図であって、図４に示す方法の変形例を説明するための断面図である。
【００３６】
図５に示すように、下金型４１は、被覆板３０の外面と接する側の面に、コート層６０を備える。コート層６０は、被覆板３０の外側の面と同等若しくはそれ以下の硬度を有する層である。硬度は、測定対象物の材質に合った方法にて測定されるが、被覆板３０およびコート層６０の両方を樹脂にて形成し、あるいは被覆板３０を樹脂にて形成する一方でコート層６０をエラストマーにて形成する場合を例示すれば、硬度はショア硬度を意味する。コート層６０は、好適には、樹脂から構成される層であって、好適には、シリコーン系樹脂あるいはフッ素系樹脂から成る。下金型４１の内側の面にコート層６０を形成することによって、下金型４１の形状および電池蓋３の寸法誤差を、コート層６０にて吸収できる。この結果、電池蓋３の外面に凹凸等の変形がさらに生じにくくなる。
【００３７】
＜第二の実施形態＞
図６は、第二の実施の形態に係る防水性カバー部材の一例である背面カバーを、電子機器の背面から外して、電子機器の背面側および背面カバーの内側をそれぞれ正面に向けて示す図である。
【００３８】
電子機器７０は、その背面側に開口する開口部７１を覆う防水性カバー部材の一例である背面カバー８０を備える。開口部７１は、電池７２を収納する電池収納部である。電子機器７０は、その背面における開口部７１の外側に、矩形の閉ループ状の溝部７３を備える。溝部７３で囲まれた領域には、開口部７１の他に、ディスク若しくはカードを装填する開口部７４もある。さらに、電子機器７０は、その背面側であって溝部７３の外側の領域に、カメラ７５を備える。カメラ７５は、電子機器７０に取り付けられる防水を要する部品の一例である。カメラ７５の外周には、矩形の閉ループ状の溝部７３’を備える。すなわち、電子機器７０は、その背面に、２つの溝部７３，７３’を独立して備える。
【００３９】
背面カバー８０は、電子機器７０の背面全体を覆うように電子機器７０に取り付けられる防水性カバー部材である。背面カバー８０は、電子機器７０の背面に対向する底板と、電子機器７０の側面に対向する側壁とを連接したトレイ形状の被覆板８１を有する。背面カバー８０は、被覆板８１における底板の内面から被覆板８１の開口側に向かって突出する矩形の閉ループ状の突出部８２と、溝部７３に挿入可能であって突出部８２の先端から側面を覆うと共に突出部８２より軟質の弾性シール材８３と、突出部８２の外側および内側に形成され突出部８２より低い矩形の閉ループ状のリブ８７，８８とを備える。また、背面カバー８０は、電子機器７０の溝部７３’と対向する位置に、被覆板８１における底板の内面から被覆板８１の開口側に向かって突出する矩形の閉ループ状の突出部８２’と、溝部７３’に挿入可能であって突出部８２’の先端から側面を覆うと共に突出部８２’より軟質の弾性シール材８３’と、突出部８２’の外側および内側に形成され突出部８２’より低い矩形の閉ループ状のリブ８７’，８８’とを備える。リブ８８’の内側の領域には、カメラ７５による撮影が可能なように、透明板８５が嵌め込まれている。
【００４０】
突出部８２、弾性シール材８３およびリブ８７，８８は、第一の実施の形態にて説明した電池蓋３の突出部３２、弾性シール材３３およびリブ３７，３８と同様の構成および製法にて形成される。同様に、突出部８２’、弾性シール材８３’およびリブ８７’，８８’も、また、第一の実施の形態にて説明した電池蓋３の突出部３２、弾性シール材３３およびリブ３７，３８と同様の構成および製法にて形成される。したがって、この実施の形態では、突出部８２，８２’、弾性シール材８３，８３’およびリブ８７，８７’，８８，８８’についての重複した説明を省略し、第一の実施の形態にて説明した内容を代用する。
【００４１】
＜その他の実施の形態＞
以上、本発明の好適な各実施の形態について説明してきたが、本発明は、上記の各実施の形態に限定されるものではなく、本発明の趣旨を逸脱しない限り、種々変形実施可能である。
【００４２】
例えば、防水性カバー部材は、開口部２１，７１，７４以外の開口部あるいは取付口、例えば、メモリーカード等の取付口を覆うことのできるものでも良い。加飾層３９は、必ずしも要しない。リブ３７，３８，８７，８７’，８８，８８’の頂部は、鋭角であるのが好ましいが、鋭角であることは必須ではなく、鈍角でも良い。さらには、当該頂部を、湾曲形状あるいは平面形状としても良い。
【００４３】
突出部３２，８２，８２’の外形は、矩形である必要は無く、楕円や真円の他、三角形、五角形以上の多角形でも良い。リブ３７，３８，８７，８７’，８８，８８’もまた同様である。ただし、リブ３７，３８，８７，８７’，８８，８８’は、突出部３２，８２，８２’の外周および内周に近接配置されている方が好ましいことから、突出部３２，８２，８２’と同じ形状の閉ループ状にて形成されるのが好ましい。弾性シール材３３，８３，８３’は、それぞれ、突出部３２，８２，８２’の外側にのみ形成されていても良い。防水性カバー部材は、電池蓋３あるいは背面カバー８０のように電子機器２および電子機器７０からそれぞれ完全に分離する部材に限定されるものではなく、電子機器２，７０に常に接続されている開閉可能な蓋であっても良い。
【００４４】
上記の第一の実施の形態および第二の実施の形態は、互いにそれぞれの特徴を一以上組み合わせても良い。例えば、第一の実施の形態に係る防水性カバー部材の一例である電池蓋３は、第二の実施の形態に係る防水性カバー部材の一例である背面カバー８０と同様、電子機器１の背面全体を覆う形状としても良い。一方、背面カバー８０は、電池蓋３と同様、電子機器１の背面の一部を覆う形状でも良い。
【００４５】
本発明は、携帯電話機器、その他通信機器以外の広範な電子機器に適用可能であって、例えば、防水を必要とするならば、固定電話機器の本体とワイヤレス通信可能な子機、ホームオーディオ機器に使用するリモートコントローラ、バッテリーを搭載する電気自動車等にも応用できる。
【産業上の利用可能性】
【００４６】
本発明は、防水性の電子機器に用いることができる。
【符号の説明】
【００４７】
１    電子機器
３    電池蓋（防水性カバー部材の一例）
２１    開口部
２３    溝部
３０    被覆板
３２    突出部
３３    弾性シール材
３７，３８    リブ
３９    加飾層
４０    カバー本体
４１    下金型（複合金型を構成する一部）
４２    第一上金型（複合金型を構成する上金型の一部）
４３    第二上金型（複合金型を構成する上金型の一部）
５２，５３    下方端面
６０    コート層
７０    電子機器
７１，７４    開口部
７３，７３’    溝部
７５  カメラ（部品の一例）
８０    背面カバー（防水性カバー部材の一例）
８１    被覆板
８２，８２’    突出部
８３，８３’    弾性シール材
８７，８７’    リブ
８８，８８’    リブ
Ｖ    空間
【図１】
0005474864.tif 000002
【図２】
0005474864.tif 000003
【図３】
0005474864.tif 000004
【図４】
0005474864.tif 000005
【図５】
0005474864.tif 000006
【図６】
0005474864.tif 000007
【図７】
0005474864.tif 000008
【図８】
0005474864.tif 000009
【図９】
0005474864.tif 000010